(57)【要約】【課題】Ｃプレート等の光学フィルム、光学フィルム巻取体に関してブロッキングを防止できるようにする。【解決手段】液晶材料による位相差層８Ａを備えた光学フィルム１２であって、位相差層８Ａに、局所的に位相差層が作製されていない部位によるブロッキング防止部２２が、ランダムに、５００個／ｍ２以上３００００個／ｍ２以下設けられた。【選択図】図３
2016141145.tif 000002
【特許請求の範囲】
【請求項１】
液晶材料による位相差層を備えた光学フィルムであって、
前記位相差層に、局所的に位相差層が作製されていない部位によるブロッキング防止部が、ランダムに、５００個／ｍ２以上３００００個／ｍ２以下設けられた
光学フィルム。
【請求項２】
前記ブロッキング防止部は、
大きさが直径５００μｍ以下１０μｍ以上である
請求項１に記載の光学フィルム。
【請求項３】
前記位相差層が、正Ｃプレートとして機能する位相差層であり、
さらにＡプレートとして機能する光学機能層を備える
請求項１又は請求項２に記載の光学フィルム。
【請求項４】
請求項１、請求項２、請求項３の何れかに記載の光学フィルムを画像表示パネルのパネル面に配置した
画像表示装置。
【請求項５】
液晶材料による位相差層を備えた長尺フィルム形状による光学フィルムをロール状に巻き取った光学フィルム巻取体であって、
前記位相差層に、局所的に位相差層が作製されていない部位によるブロッキング防止部が、ランダムに、５００個／ｍ２以上３００００個／ｍ２以下設けられた
光学フィルム巻取体。
【発明の詳細な説明】
【技術分野】
【０００１】
本発明は、例えば正Ｃプレートを備えた光学フィルムに適用することができる。
【背景技術】
【０００２】
従来、画像表示装置では、Ａプレートによる光学フィルムが種々に利用されている。すなわち画像表示装置では、直線偏光板と１／４波長板との積層による円偏光板を画像表示パネルのパネル面に配置することにより反射防止を図ることができ、この１／４波長板には、Ａプレートとして機能する液晶材料による位相差層を適用することができる。このような位相差層は、透明フィルム材等による基材の表面に配向層を作製した後、液晶材料による塗工液を塗工、乾燥、硬化して作製することができる。
【０００３】
このようなＡプレートによる光学フィルムに関して、正Ｃプレートを設けて視野角特性を向上する工夫が種々に提案されている（特許文献１等）。ここでＣプレートは、ｎｘ＝ｎｙ＜ｎｚ又はｎｘ＝ｎｙ＞ｎｚで表され、ｎｘ＝ｎｙ＜ｎｚは正Ｃプレートであり、ｎｘ＝ｎｙ＞ｎｚは負Ｃプレートである。なおｎｘ、ｎｙ（ｎｘ≧ｎｙ）は面内方向の屈折率であり、ｎｚは厚さ方向の屈折率である。このようなＣプレートは、Ａプレートと同様に、液晶材料による塗工液を塗布して乾燥硬化させることにより作製することができる。
【０００４】
特許文献２、３には、転写法により正Ｃプレートを１／４波長板等に積層することにより、光学フィルム全体の厚みを薄くする構成が開示されている。ここで転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【０００５】
ところでこの種の光学フィルムは、長尺透明フィルム材である基材を搬送しながら順次位相差層を作製した後、ロールに巻き取って光学フィルム巻取体が作製される。またこの光学フィルム巻取体より引き出して所望の大きさに切断して作製され、又はこの光学フィルム巻取体より引き出して他のフィルム材と積層した後、所望の大きさに切断して作製される。
【０００６】
このような積層体においては、巻回されたフィルム材が層間で貼り付く場合（ブロッキングである）があり、従来、アンチブロッキング剤を使用してブロッキングの発生を防止する工夫等が種々に提案されている（特許文献４等）。
【０００７】
このようなアンチブロッキング剤を使用しなくても、ブロッキングを防止することができれば、製造条件をより柔軟かつ自由に設定して、製造工程における利便を種々に図ることができると考えられる。
【先行技術文献】
【特許文献】
【０００８】
【特許文献１】特開２０１５−１４７１２号公報
【特許文献２】特開２０１４−２３５４０５号公報
【特許文献３】特開２０１４−２２４８３８号公報
【特許文献４】特開２０１０−２７５４３４号公報
【発明の概要】
【発明が解決しようとする課題】
【０００９】
本発明はこのような状況に鑑みてなされたものであり、ブロッキングを防止できるようにすることを目的とする。
【課題を解決するための手段】
【００１０】
本発明者は、上記課題を解決するために鋭意研究を重ね、位相差層に係る塗工液を塗工して発生する塗工液のハジキを積極的に利用することにより、ブロッキングの発生を防止する、との着想に至り、本発明を完成するに至った。
【００１１】
（１）  液晶材料による位相差層を備えた光学フィルムであって、
前記位相差層に、局所的に位相差層が作製されていない部位によるブロッキング防止部が、ランダムに、５００個／ｍ２以上３００００個／ｍ２以下設けられた光学フィルム。
【００１２】
（１）によれば、ブロッキング防止部を、ランダムに、一定範囲で設けることにより、ハジキを積極的に利用して、積層した光学フィルム間の密着を低減することができ、これによりブロッキングを防止することができる。
【００１３】
（２）  （１）において、
前記ブロッキング防止部は、
大きさが直径５００μｍ以下１０μｍ以上である光学フィルム。
【００１４】
（２）によれば、画像表示パネルのパネル面に配置して、画質劣化を回避することができる。
【００１５】
（３）  （１）又は（２）において、
前記位相差層が、正Ｃプレートとして機能する位相差層であり、
さらにＡプレートとして機能する光学機能層を備える光学フィルム。
【００１６】
（３）によれば、より具体的構成により、斜め方向に係る特性を改善する正Ｃプレートの特徴を有効に利用して画質劣化を回避し、ブロッキングを防止することができる。
【００１７】
（４）  （１）、（２）、（３）の何れかに記載の光学フィルムを画像表示パネルのパネル面に配置した画像表示装置。
【００１８】
（４）によれば、ブロッキングを防止すること可能な光学フィルムによる画像表示装置を提供することができる。
【００１９】
（５）  液晶材料による位相差層を備えた長尺フィルム形状による光学フィルムをロール状に巻き取った光学フィルム巻取体であって、
前記位相差層に、局所的に位相差層が作製されていない部位によるブロッキング防止部が、ランダムに、５００個／ｍ２以上３００００個／ｍ２以下設けられた光学フィルム巻取体。
【００２０】
（５）によれば、ブロッキング防止部を、ランダムに、一定範囲で設けることにより、ハジキを積極的に利用して、積層した光学フィルム間の密着を低減することができ、これによりブロッキングを防止することができる。
【発明の効果】
【００２１】
本発明によれば、Ｃプレート等の光学フィルム、光学フィルム巻取体に関してブロッキングを防止することできる。
【図面の簡単な説明】
【００２２】
【図１】本発明の第１実施形態に係る画像表示装置を示す断面図である。
【図２】図１の画像表示装置に係る光学フィルムに適用される転写用光学フィルムの説明に供する図である。
【図３】図２の光学フィルムの詳細構成を示す図である。
【図４】図２の光学フィルムの説明に供する図である。
【発明を実施するための形態】
【００２３】
以下、図面を参照しながら本発明の実施形態を詳述する。
【００２４】
〔第１実施形態〕
〔画像表示装置〕
図１は、本発明の第１実施形態に係る画像表示装置を示す図である。この画像表示装置１は、画像表示パネル２のパネル面（視聴者側面）に、光学フィルム３が配置される。画像表示パネル２は、例えば有機ＥＬパネルであり、所望のカラー画像を表示する。なお画像表示パネル２は、有機ＥＬパネルに限らず、液晶表示パネル等、種々の画像表示パネルを広く適用することができる。
【００２５】
〔光学フィルム〕
光学フィルム３は、円偏光板の機能により画像表示パネル２に到来する外来光の反射を抑圧する反射防止フィルムである。光学フィルム３は、図示しないセパレータフィルムを剥離して感圧接着剤による粘着層４を露出させた後、この粘着層４により、画像表示パネル２のパネル面に貼り付けられて保持される。なお感圧接着剤に代えて例えば紫外線硬化性樹脂等の各種の接着剤、粘着剤により光学フィルム３を配置してもよい。
【００２６】
光学フィルム３は、転写法により転写層５を直線偏光板６に配置した後、粘着層４、セパレータフィルムを配置して作製され、この転写層５が、１／４波長板７、正Ｃプレート８の積層体により構成される。これによりこの光学フィルム１は、円偏光板の機能により画像表示パネル２に到来する外来光の反射を抑圧し、さらに正Ｃプレート８により視野角特性の劣化を防止する。
【００２７】
直線偏光板６は、例えばＴＡＣ（Triacetylcellulose）等による透明フィルムからなる基材に、例えばポリビニルアルコール（ＰＶＡ）によるフィルム材に、ヨウ素化合物分子を吸着配向させて作製される。
【００２８】
１／４波長板７は、透過光に１／４波長分の位相差を付与して、１／４波長板としての光学的機能を担う１／４波長位相差層７Ａと、透過光に１／２波長分の位相差を付与して、１／２波長板としての光学的機能を担う１／２波長位相差層７Ｂとを接着層により貼合した積層体により構成され、これにより直線偏光板６からの入射光に対して、逆分散波長特性により機能し、カラー画像の表示に供する広い波長帯域で十分に外来光の反射を抑圧する。
【００２９】
また正Ｃプレート８は、正Ｃプレートとして機能する液晶材料による正Ｃプレート位相差層８Ａにより構成される。これらにより光学フィルム３は、全体の厚みを低減できるように構成される。
【００３０】
図２（Ａ）は、転写層５の転写に供する転写用光学フィルムの構成を示す断面図である。転写用光学フィルム１１は、支持体基材１３に垂直配向層１４、正Ｃプレート位相差層８Ａが順次設けられて正Ｃプレート８に係る光学フィルム１２（図２（Ｂ））が作製された後、この光学フィルム１２のＣプレート位相差層８Ａに、順次、転写法により、１／４波長位相差層７Ａ、１／２波長位相差層７Ｂが積層されて、又は、転写法により、１／４波長位相差層７Ａ及び１／２波長位相差層７Ｂの積層体が積層されて作製される。
【００３１】
１／２波長位相差層７Ａ、１／４波長位相差層７Ｂは、それぞれＴＡＣ、ＰＥＴ（Polyethyleneterephthalate）等によるフィルム材による支持体基材に、配向層を作製した後、液晶材料による塗工液を塗工、乾燥、硬化することにより、この配向層の配向規制力により液晶材料を配向させた状態で固化して作製される。なお配向層は、いわゆる光配向層、ラビング処理による配向層等、微細ライン状凹凸形状の賦型処理により作製される配向層等、種々の構成を広く適用することができる。また位相差層に係る液晶材料にあっては、Ａプレートの作成に使用可能な種々の材料を適用することができる。
【００３２】
正Ｃプレート８に係る光学フィルム１２は、支持体基材１３に垂直配向層１４、正Ｃプレート位相差層８Ａが順次設けられて作成される。ここで支持体基材１３は、ＰＥＴ（Polyethyleneterephthalate）等によるフィルム材が適用される。
【００３３】
垂直配向層１４は、垂直方向（支持体基材１３の厚み方向）の配向規制力を備えた配向層であり、Ｃプレートの作製に供する各種垂直配向層、ＶＡ液晶表示装置層に適用される各種の垂直配向層を適用することができ、例えばポリイミド配向膜、ＬＢ膜等を適用することができる。具体的に、垂直配向層１４の構成材料としては、例えば、レシチン、シラン系界面活性剤、チタネート系界面活性剤、ピリジニウム塩系高分子界面活性剤、ｎ−オクタデシルトリエトキシシラン等のシランカップリング系垂直配向膜用組成物、長鎖アルキル基や脂環式構造を側鎖に有する可溶性ポリイミドや長鎖アルキル基や脂環式構造を側鎖に有するポリアミック酸等のポリイミド系垂直配向膜用組成物を適用することができる。
【００３４】
垂直配向層１４は、垂直配向層１４に係る塗工液を支持体基材１３に塗工した後、乾燥、硬化して作製される。
【００３５】
正Ｃプレート位相差層８Ａは、正Ｃプレートの作成に供する液晶材料による位相差層であり、垂直配向層１４の上に塗工液を塗工した後、乾燥、硬化することにより、垂直配向層１４の配向規制力により配向した状態で液晶材料が固化して作製される。ここでこの正Ｃプレート位相差層８Ａに係る液晶材料は、棒状液晶または円盤状液晶により代表される液晶材料であり、例えばＡプレートの作成に供する液晶材料を適用することができる。
【００３６】
この実施形態において、正Ｃプレート８に係る光学フィルム１２は、ロールにより提供される長尺フィルム材により支持体基材１３が提供され、この長尺フィルム材をロールから引き出して順次、垂直配向層１４、正Ｃプレート位相差層８Ａを作製して作製された後、ロールに巻き取って光学フィルム１２の巻取体（以下、光学フィルム巻取体と呼ぶ）により保管され、また次工程に搬送される。また次工程では、このように光学フィルム巻取体から光学フィルム１２を引き出しながら、１／２波長位相差層７Ａ、１／４波長位相差層７Ｂを積層した後、ロールに巻き取り、転写用光学フィルム１１による光学フィルム巻取体により保管され、また次工程に搬送される。
【００３７】
正Ｃプレート８に係る光学フィルム３は、この転写用光学フィルム１１による光学フィルム巻取体から転写用光学フィルム１１を引き出しながら、同様の長尺フィルム形状による直線偏光板６に転写層５が転写された後、粘着層、セパレータフィルムを配置し、その後、所望の形状にシートカットして作製される。
【００３８】
またこれにより１／２波長位相差層７Ａ、１／４波長位相差層７Ｂは、長尺フィルム形状による支持体基材をロールより引き出して順次、配向層、１／２波長位相差層７Ａ、１／４波長位相差層７Ｂを作製した後、ロールに巻き取って、それぞれ１／２波長位相差層７Ａ、１／４波長位相差層７Ｂに係る光学フィルム巻取体により、正Ｃプレート位相差層８Ａとの積層工程に搬送される。
【００３９】
〔ブロッキングの防止〕
これらによりこの実施形態では、正Ｃプレート８に係る光学フィルム１２による光学フィルム巻取体、転写用光学フィルム１１による光学フィルム巻取体、１／２波長位相差層７Ａに係る光学フィルム巻取体、１／４波長位相差層７Ｂに係る光学フィルム巻取体、転写用光学フィルム１１による光学フィルム巻取体において、ブロッキングが発生する恐れがある。
【００４０】
この実施形態では、これらの光学フィルム巻取体のうち、光学フィルム１２による光学フィルム巻取体において、光学フィルム１２における正Ｃプレート位相差層８Ａの形状の工夫により、ブロッキングの発生を防止する。
【００４１】
ここで図３は、正Ｃプレート８に係る光学フィルム１２を部分的に拡大して示す断面図である。光学フィルム１２は、正Ｃプレート位相差層８Ａに、円形形状によるブロッキング防止部２２が設けられる。ここでブロッキング防止部２２は、局所的に、正Ｃプレート位相差層８Ａが作製されていない部位であり、上方から（正Ｃプレート位相差層８Ａ側から）見た場合、正Ｃプレート位相差層８Ａの下層である配向層１４を直接見て取ることができる部位であり、正Ｃプレート位相差層８Ａにランダムに設けられる。
【００４２】
このようにＣプレート位相差層８Ａが作製されていない部位であるブロッキング防止部２２を設けることにより、光学フィルム１２では、巻取体においてブロッキングの発生を防止することができる。
【００４３】
すなわち図４（Ｂ）に示すように、何らブロッキング防止部２２を設けていない光学フィルム１２においては、巻取体において、下層の光学フィルム１２Ａの背面に、その上層の光学フィルム１２Ａの底面が密着して配置されることになる。またこの種の巻取体では、緩みを防止するために張力をかけて巻き取っており、この張力により順次積層されてなる光学フィルム１２Ａは、加重されることになる。これによりこの場合、この積層された光学フィルム１２Ａにおいて、ブロッキングが発生することになる。
【００４４】
しかしながらこの実施形態のように、Ｃプレート位相差層８Ａが作製されていない部位であるブロッキング防止部２２を設ける場合にあっては、図４（Ｂ）との対比により図４（Ａ）に示すように、積層された光学フィルム１２間において、密着する面積を低減することができ、さらにはフィルム間の剥離を促進することができ、これにより層間の密着を低減し、ブロッキングの発生を防止することができる。
【００４５】
ここでこのようにして作成されてなるブロッキング防止部２２は、大きさが大きくなると、欠点として認識される恐れがあるものの、小さすぎると、充分に効果を奏し得なくなる。これにより直径Ｄは、５００μｍ以下１０μｍ以上により、より好ましは３００μｍ以下２０μｍ以上により、さらにより好ましくは１００μｍ以下４０μｍ以上により作製される。なお一般的に、画像表示パネルに配置される光学フィルムは、１００μｍ以上の大きさによる欠点が存在すると、この欠点が視認され、画質劣化が知覚されることになる。しかしながら正Ｃプレートとして機能する正Ｃプレート位相差層８Ａにあっては、正面方向の透過光については、何ら影響を与えることなく、専ら斜め透過光に影響を与え、これにより視野角特性の向上を図るものである。これにより種々に検討した結果によれば、Ｃプレートにおいては、Ａプレートに比してこのように位相差層が作製されていない部位２２が大きい場合でも、欠点として認識し得ないことが判った。これによりこの実施形態では、正Ｃプレートの特徴を有効に利用してブロッキングを防止する。
【００４６】
またブロッキング防止部２２は、数が少なすぎると、充分にブロッキング防止効果を奏し得ないのに対し、数が多すぎるとＣプレートとしての機能が損なわれる恐れがある。そこでこの実施形態では、５００個／ｍ２以上３００００個／ｍ２以下により、より好ましくは１０００個／ｍ２以上１５０００個／ｍ２以下により、作製される。
【００４７】
なおブロッキング防止部２２は、蛍光灯照明による反射検査（いわゆる蛍光灯反射防止フィルム検査である）、透過検査等により光学フィルム１２を検査して確認することができる。またブロッキングの発生は、ブロッキングテスターにより確認することができる。
【００４８】
この実施形態においては、表面に、微小突起２１（図３）を有するフィルム材を支持体基材１３に適用し、さらに位相差層８Ａに係る塗工液の調整、レベリング時間の調整等により、ブロッキング防止部２２を作製する。ここで支持体基材１３の表面に微小突起２１を備えている場合にあって、この支持体基材１３に垂直配向層１４を作製した後、Ｃプレート位相差層８Ａの塗工液を塗工すると、ハジキが発生する場合がある。
【００４９】
より具体的に、微小突起２１の高さが０．５μｍ以上、２μｍ以下である場合、垂直配向層１４は厚みが０．１μｍ程度であることにより、垂直配向層１４よりこの微小突起２１の先端が飛び出すことになり、その上に、乾燥膜厚数μｍによりＣプレート位相差層８Ａを作製することになる。この場合、Ｃプレート位相差層８Ａの塗工膜においては、この微小突起２１を起点として、微小突起２１を囲むように、ハジキが発生し、その結果、ブロッキング防止部２２が作製される。これによりこの実施形態では、塗工液のハジキを有効に利用してブロッキング防止部２２を作製する。
【００５０】
ここでこの実施形態では、樹脂系フィラーを混入してなるＰＥＴフィルムを支持体基材１３に適用することによりブロッキング防止部２２を作製する。なお樹脂系フィラーに代えて、シリカ等による無機材料によるフィラーを混入するようにしてもよい。またＰＥＴフィルムに代えて、種々のフィルム材を適用することができる。なおこのようにフィラーを混入して微小突起２１を作製する場合、支持体基材１３のＣプレート位相差層８Ａ側面とは逆側面にも同様の微小突起が現れるようにすれば、一段とブロッキングを防止することができる。
【００５１】
〔他の実施形態〕、
以上、本発明の実施に好適な具体的な構成を詳述したが、本発明は、本発明の趣旨を逸脱しない範囲で、上述の実施形態の構成を種々に変更し、さらには従来構成と組み合わせることができる。
【００５２】
すなわち上述の実施形態では、本発明を正Ｃプレートの位相差層を備えた光学フィルムに適用する場合について述べたが、本発明はこれに限らず、負Ｃプレートの位相差層を備えた光学フィルム、Ａプレートの位相層を備えた光学フィルム等に広く適用することができる。
【００５３】
また上述の実施形態では、円偏光板の機能により反射防止を図る光学フィルムに本発明を適用する場合について述べたが、本発明はこれに限らず、種々の光学フィルムに広く適用することができる。
【符号の説明】
【００５４】
１  画像表示装置
２  画像表示パネル
３、１２  光学フィルム
４  粘着層
５  転写層
６  直線偏光板
７  １／４波長板
７Ａ  １／２波長位相差層
７Ｂ  １／４波長位相差層
８  正Ｃプレート
８Ａ  正Ｃプレート位相差層
１１  転写用光学フィルム
１３  支持体基材
１４  垂直配向層
２１  微小突起
２２  ブロッキング防止部
【図１】
2016141145.tif 000003
【図２】
2016141145.tif 000004
【図３】
2016141145.tif 000005
【図４】
2016141145.tif 000006